(57)【特許請求の範囲】
【請求項１】
道路の線形を点灯表示するために、道路の路肩等に沿って支持体上に支持されて設置される視線誘導灯であって、
発光部を具備する灯体と、
この灯体の下部に接続され、外周に螺旋溝が形成されたばね受け筒部を下部に有する第１のニップルと、
前記支持体に垂直に固定される支持パイプの上部に接続される第２のニップルと、
この第２のニップルの上部に軸周りの相対回転角度を調整可能に接続され、外周に螺旋溝が形成されたばね受け筒部を上部に有する第３のニップルと、
この第３のニップルと前記第２のニップルとを固定する固定カバーと、
前記第１のニップルと前記第３のニップルとの間に介設され、上部において第１のニップルの螺旋溝に螺合され、下部において第３のニップルの螺旋溝に螺合される密巻きコイルばねと、
この密巻きコイルばねを被覆する柔軟性を有する防水チューブとを具備し、
前記第２のニップルは、前記支持パイプの上部に螺合される雄ねじ筒部と、この雄ねじ筒部の上部に設けられる操作鍔部と、この操作鍔部の上部に設けられ外周にねじ部を有すると共に上端面に所定の回転角度刻みで放射状に形成された多数の凹凸条からなる環状のスラスト係合部を有する接続鍔部とを具備し、
前記第３のニップルは、下端面に前記第２のニップルのスラスト係合部に係合する多数の凹凸条からなる環状の対応スラスト係合部が形成された接続鍔部を下端部にさらに具備し、
前記固定カバーは、前記第２のニップルの外周ねじ部に螺合するように下方へ開放した雌ねじ筒部と、この雌ねじ筒部の上端部に位置して下面が前記第３のニップルの接続鍔部の上面に当接する内側フランジ部と、第３のニップルの接続鍔部より上部を上方へ貫通させる中心開口とを具備し、雌ねじ筒部を第２のニップルの外周ねじ部に螺合することにより第３のニップルと第２のニップルとをスラスト方向に締め付け固定可能に構成されることを特徴とする視線誘導灯。
【請求項２】
前記灯体は、下部に接続用の雄ねじ筒部を具備し、
前記灯体と前記第１のニップルとの間には合成樹脂製のブッシングが介設され、当該ブッシングは、灯体の前記雄ねじ筒部に螺合する内周ねじを有すると共に外周ねじを有するねじ筒部と、このねじ筒部の上端部に設けれられ雄ねじ筒部と第１のニップルとの間に介在するフランジ部とを具備し、
前記第１のニップルは、前記ブッシングのねじ筒部の外周ねじに螺合するねじ筒部を上端部に具備することを特徴とする請求項１に記載の視線誘導灯。
【請求項３】
前記第１のニップルは、前記ねじ筒部の下部にこれより小径で段部を介して下方へ延びる円筒状のチューブ受け部をさらに具備し、このチューブ受け部の下部にこれより小径の前記ばね受け筒部が段部を介して下方へ延び、
前記第３のニップルは、前記接続鍔部の上部にこれより小径で段部を介して上方へ突出する円筒状のチューブ受け部をさらに具備し、このチューブ受け部の上部にこれより小径の前記ばね受け筒部が段部を介して上方へ延び、
前記防水チューブの上端部が前記第１のニップルのチューブ受け部の外周に気密に嵌合され、下端部が前記第３のニップルのチューブ受け部の外周に気密に嵌合されることを特徴とする請求項２に記載の視線誘導灯。
【請求項４】
電源ケーブルを被覆し、前記第１のニップルのばね受け筒部内から前記密巻きコイルばね、前記第３のニップル及び前記第２のニップルを貫通して前記支持パイプ内へ突出し、下端が電源ケーブルの絶縁被覆上に固定される弾性保護チューブをさらに具備することを特徴とする請求項１ないし３のいずれかに記載の視線誘導灯。
【発明の詳細な説明】
【技術分野】
【０００１】
本発明は、カーブしている道路の路肩等に沿って設置され道路線形を点灯表示することにより、車輌運転者の視線を誘導する自発光式の誘導灯に関する。
【背景技術】
【０００２】
従来からカーブしている道路の路肩等には、道路の線形を表示する視線誘導灯が路肩等に沿って所定の間隔をおいて設置されている。このような視線誘導灯のうち、自発光式のものとして、特許文献１に記載されたものが知られている。
この視線誘導灯は、光源を内蔵する発光部と、道路の路肩等にアンカーボルトによって固定される支持台とを備える。発光部は、運転者の視線に対応する所定の高さで、支持台上に支柱を介して設置される。発光部の下端と、支持台の上端にニップルが設けられる。これら上下のニップルの螺旋溝に密巻きコイルばねの上下端部がそれぞれ螺合され、支持台に対し発光部が前後左右方向に傾倒自在に接続される。密巻きコイルばねは、柔軟性を有する防水チューブで被覆される。この防水チューブを介して各ニップルをそれぞれ覆うように、上下一対のカップ状キャップが装着される。このような構成において、密巻きコイルばねは発光部を弾性的に支持し、その弾性変形により前後左右方向に傾倒することで接触、衝突時の衝撃が吸収される。
【先行技術文献】
【特許文献】
【０００３】
【特許文献１】特開２００１−３２３４２０号公報
【発明の概要】
【発明が解決しようとする課題】
【０００４】
視線誘導灯は、カーブする道路を走行する車両の運転者の視線に対応するように、発光部の支柱軸周りの角度を調整して固定する必要がある。しかしながら、上記従来の視線誘導灯は、この支柱軸周りの角度調整と固定が容易でなく、また軸周り固定のためのナットの締めすぎによる破損が生じやすい。
したがって、この出願に係る発明は、密巻きコイルばねが灯体を弾性的に支持し、その弾性変形により前後左右方向に傾倒、復元することで接触、衝突時の衝撃が吸収できる視線誘導灯であって、支柱軸周りの角度調整と固定が容易で、固定ナットの締めすぎによる破損が生じにくい視線誘導灯を提供することを目的としている。
加えて、この出願に係る発明は、灯体と第１のニップルとが異種金属で構成される場合にも、相互間に電蝕を生じない視線誘導灯を提供することを目的としている。
さらに、この出願に係る発明は、貫通する電源ケーブルを確実に保護すると同時に、密巻きコイルばねの折り曲げの繰り返しによる塑性変形を効果的に防止できる視線誘導灯を提供することを目的としている。
【課題を解決するための手段】
【０００５】
以下、添付図面の符号を参照して説明するが、本発明はこれに限定されるものではない。
上記課題を解決するための、この出願に係る発明の視線誘導灯１は、道路の線形を点灯表示するために、道路の路肩等に沿って支持体上に支持されて設置される視線誘導灯であって、発光部４を有する灯体２と、この灯体２の下部に接続される第１のニップル６と、支持パイプＰの上部に接続される第２のニップル８と、このニップル８の上部に接続される第３のニップル９と、第２のニップル８と第３のニップル９とを固定する固定カバー１０と、第１のニップル６と第３のニップル９との間に介設される密巻きコイルばね７と、この密巻きコイルばね７を被覆する柔軟な防水チューブ１１とを具備する。第１のニップル６は、下部の外周に螺旋溝２０が形成されたばね受け筒部１７を有する。第３のニップル９は、第２のニップル８の上部に軸周りの相対回転角度を調整可能に接続され、上部の外周に螺旋溝３７が形成されたばね受け筒部３３を有する。密巻きコイルばね７は、上部において第１のニップル６の螺旋溝２０に螺合され、下部において第３のニップル９の螺旋溝３７に螺合される。第２のニップル８は、支持パイプＰの上部に螺合される雄ねじ筒部２５と、この雄ねじ筒部２５の上部に設けられる操作鍔部２７と、この操作鍔部２７の上部に設けられ外周にねじ部２６を有すると共に上端面に所定の回転角度刻みで放射状に形成された多数の凹凸条からなる環状のスラスト係合部３０を有する接続鍔部２８とを具備する。第３のニップル９は、下端面に第２のニップル８のスラスト係合部３０に係合する多数の凹凸条からなる環状の対応スラスト係合部３４が形成された接続鍔部３１を下端部にさらに具備する。固定カバー１０は、第２のニップル８の外周ねじ部２６に螺合するように下方へ開放した雌ねじ筒部３８と、この雌ねじ筒部３８の上端部に位置して下面が第３のニップル９の接続鍔部２８の上面に当接する内側フランジ部３９と、第３のニップル９の接続鍔部２８より上部を上方へ貫通させる中心開口４１とを具備し、雌ねじ筒部３８を第２のニップル８の外周ねじ部２６に螺合することにより第３のニップル９と第２のニップル８とをスラスト方向に締め付け固定可能に構成される。
【発明の効果】
【０００６】
この出願に係る発明の視線誘導灯によれば、密巻きコイルばねの弾性変形により前後左右方向に傾倒、復元することで接触、衝突時の衝撃を吸収して破損を防止でき、支柱軸周りの角度調整と固定が容易かつ確実であり、固定ナットの締めすぎによる破損が生じにくい等の効果がある。
【図面の簡単な説明】
【０００７】
【図１】本発明に係る視線誘導灯の正面図である。
【図２】図１の視線誘導灯の縦断側面図である。
【図３】図１の視線誘導灯における第１のニップルの一部を切断した正面図である。
【図４】図１の視線誘導灯におけるブッシングの一部を切断した正面図である。
【図５】図１の視線誘導灯における第２のニップルの一部を切断した正面図である。
【図６】図１の視線誘導灯における第２のニップルの平面図である。
【図７】図１の視線誘導灯における第３のニップルの一部を切断した正面図である。
【図８】図１の視線誘導灯における第３のニップルの平面図である。
【図９】図１の視線誘導灯における第３のニップルの底面図である。
【図１０】図１の視線誘導灯における固定カバーの一部を切断した正面図である。
【図１１】図１の視線誘導灯における固定カバーの底面図である。
【発明を実施するための形態】
【０００８】
図面を参照してこの発明の実施の形態を説明する。
図１において、視線誘導灯１は、灯体２と、この灯体２を前後左右に傾倒、復元自在に支持する弾性支柱３とを具備し、支柱３の下端部が図示しないコンクリート基礎等に固定された支持パイプＰに固定される。灯体２は、発光部４を備え、その下側中央には、接続筒部５が一体に突設されている。支柱３と接続筒部５内を電源ケーブルＣが貫通している。
【０００９】
図２において、支柱３は、接続筒部５の下端に接続され、第１のニップル６、密巻きコイルばね７、第２のニップル８、第３のニップル９、固定カバー１０、防水チューブ１１を具備する。
【００１０】
図２、図３において、灯体の接続筒部５の下端部には、接続用の雄ねじ筒部１２が形成される。第１のニップル６は、合成樹脂製のブッシング１３を介して雄ねじ筒部１２に接続される。図３において、第１のニップル６は、上部に内周ねじ１４を有するねじ筒部１５を具備し、その下部に、円筒状のチューブ受け部１６を介してばね受け筒部１７を具備する。チューブ受け部１６は、ねじ筒部１５より小径で、段部１８を介して下方へ延びる。ばね受け筒部１７は、チューブ受け部１６より小径で、段部１９を介して下方へ延びる。ばね受け筒部１７の外周には、螺旋溝２０が形成される。ねじ孔４８は、止めねじを螺合して後記ブッシング１３を回り止めするためのものである。
【００１１】
図２、図４において、ブッシング１３は、灯体２の雄ねじ筒部１２に螺合する内周ねじ２１を有すると共に、第１のニップル６に螺合する外周ねじ２２を有するねじ筒部２３と、このねじ筒部２３の上端部に設けられたフランジ部２４とを具備する。フランジ部２４は、雄ねじ筒部１２と第１のニップル６との間に介在し両者間を電気的に絶縁する。例えば、灯体２がアルミ合金で形成され、ニップル６がステンレス鋼で形成される場合のように、両者が異種金属で構成される場合に、ブッシング１３により、両者間の電蝕を回避できる。
【００１２】
図２、図５，６において、第２のニップル８は、支持パイプＰの上部に螺合される外周ねじ２６を有する雄ねじ筒部２５と、この雄ねじ筒部２５の上部に設けられる６角の操作鍔部２７と、この操作鍔部２７の上部に設けられる円筒状の接続鍔部２８とを具備する。接続鍔部２８は、外周にねじ部２９を有すると共に、上端面に、所定の回転角度刻みで放射状に形成された多数の凹凸条からなる環状のスラスト係合部３０を有する。
【００１３】
図２、図７ないし図９において、第３のニップル９は、第２のニップル８の上部に軸周りの相対回転角度を調整可能に接合される接続鍔部３１を下端に有し、中間にチューブ受け部３２、上部にばね受け筒部３３を有する。接続鍔部３１は、下端面に、第２のニップル８のスラスト係合部３０に係合する多数の凹凸条からなる環状の対応スラスト係合部３４を有する。ニップル８，９のスラスト係合部３０，３４を凹凸条の１条ずつずらして係合させることにより、軸周りに２．５°ずつ相互角度を変化させることができる。円筒状のチューブ受け部３２は、接続鍔部３１より小径で、段部３５を介して接続鍔部３１の上部に設けられる。ばね受け筒部３３は、チューブ受け部３２より小径で、段部３６を介して上方へ延び、外周に螺旋溝３７を有する。
【００１４】
図２、図１０，１１において、固定カバー１０は、外形六角の雌ねじ筒部３８と、それの上端の内側フランジ部３９とを具備する。雌ねじ筒部３８は、内周ねじ部４０を有し、図５に示す第２のニップル８の接続鍔部２８の外周ねじ部２９に螺合するように下方へ開放する。フランジ部３８の中心の開口４１から図７に示す第３のニップル９の接続鍔部３１より上部を上方へ貫通させ、段部３５をＯリング４２を介してフランジ部３９の下面に当接させるように、雌ねじ筒部３８をニップル８の外周ねじ部２９に螺合することにより、ニップル８，９をスラスト方向に締め付け固定する。ニップル８，９のスラスト係合部３０，３４の凹凸条同士が噛み合うので、相互の軸周り方向の固定は安定的で、固定カバー１０による過度な締め付けは回避できる。
【００１５】
図２において、密巻きコイルばね７は、第１のニップル６と第３のニップル９との間に介設され、上部において第１のニップル６の螺旋溝２０に螺合され、下部において第３のニップル９の螺旋溝３７に螺合される。
【００１６】
図２において、防水チューブ１１は、上下両端部の円筒部４３，４４と中間部の蛇腹部４５とを有し、密巻きコイルばね７を被覆するように装着され、上端の円筒部４３が第１のニップル６のチューブ受け部１６の外周に気密に嵌合され、下端の円筒部４５が第３のニップル９のチューブ受け部３２の外周に気密に嵌合される。
【００１７】
図２において、電源ケーブルＣを被覆する弾性保護チューブ４６が、第１のニップル６のばね受け筒部１７内から密巻きコイルばね７、第３のニップル９及び第２のニップル８を貫通し、下端部が支持パイプＰ内へ突出する。下端部は、電源ケーブルＣの絶縁被覆上にワッシャ４７で固定される。保護チューブ４６は、ネオプレンゴム等の弾性樹脂からなり、密巻きコイルばね７が外力を受けて屈曲した時に、ケーブルＣがニップル６，８，９の内周等に擦れて損傷を受けるのを防止すると共に、密巻きコイルばね７を補強する。
【符号の説明】
【００１８】
１    視線誘導灯
２    灯体
３    支柱
４    発光部
５    接続筒部
６    第１のニップル
７    密巻きコイルばね
８    第２のニップル
９    第３のニップル
１０  固定カバー
１１  防水チューブ
１２  雄ねじ筒部
１３  ブッシング
１４  内周ねじ
１５  ねじ筒部
１６  チューブ受け部
１７  ばね受け筒部
１８  段部
１９  段部
２０  螺旋溝
２１  内周ねじ
２２  外周ねじ
２３  ねじ筒部
２４  フランジ部
２５  雄ねじ筒部
２６  外周ねじ
２７  操作鍔部
２８  接続鍔部
２９  外周にねじ部
３０  スラスト係合部
３１  接続鍔部
３２  チューブ受け部
３３  ばね受け筒部
３４  スラスト係合部
３５  段部
３６  段部
３７  螺旋溝
３８  雌ねじ筒部
３９  内側フランジ部
４０  内周ねじ部
４１  開口
４２  Ｏリング
４３  円筒部
４４  円筒部
４５  蛇腹部
４６  弾性保護チューブ
４７  ワッシャ
４８  ねじ孔
Ｃ    電源ケーブル
Ｐ    支持パイプ
【図１】
0005303016.tif 000002
【図２】
0005303016.tif 000003
【図３】
0005303016.tif 000004
【図４】
0005303016.tif 000005
【図５】
0005303016.tif 000006
【図６】
0005303016.tif 000007
【図７】
0005303016.tif 000008
【図８】
0005303016.tif 000009
【図９】
0005303016.tif 000010
【図１０】
0005303016.tif 000011
【図１１】
0005303016.tif 000012